(57)【要約】      （修正有）【課題】収納した状態で鑑賞用、装飾用に供することができると共に、携行時に周囲に癒しや安らぎを与えることができる人形付バッグを提供する。【解決手段】本人形付バッグ１は、少なくとも人形１０とバッグ２０とからなる人形付バッグであって、人形１０は、内部にバッグ２０を収納する空洞部を有し、バッグ２０は、内部もしくは外部に人形１０を保持する人形保持部を有する。【選択図】図１
0003174675.tif 000002
【実用新案登録請求の範囲】
【請求項１】
少なくとも人形とバッグとからなる人形付バッグであって、
前記人形は、内部に前記バッグを収納する空洞部を有し、
前記バッグは、内部もしくは外部に前記人形を保持する人形保持部を有すること
を特徴とする人形付バッグ。
【請求項２】
前記バッグは、前記人形保持部としての面ファスナーを内部に備え、前記人形の外周部に設けられた面ファスナーと係着させることによって、該人形の所定の部位を該バッグの外部に露出させた状態で、該人形を該バッグの内部に保持可能であること
を特徴とする請求項１記載の人形付バッグ。
【請求項３】
前記人形は、前記空洞部に前記バッグを丸めてもしくは折り畳んで収納することにより、上半身を起立させた着座状態に姿勢が維持可能となること
を特徴とする請求項１または請求項２記載の人形付バッグ。
【請求項４】
前記空洞部は、前記人形の臀部に開口部が設けられると共に該臀部から胴部、腕部、および頭部へ連通して形成されており、使用者が該空洞部に手を挿入して操り人形として操作可能であること
を特徴とする請求項１〜３のいずれか一項に記載の人形付バッグ。
【請求項５】
前記空洞部の開口部は、ファスナーが設けられて開閉可能であること
を特徴とする請求項４記載の人形付バッグ。
【請求項６】
前記バッグは、下部もしくは中間部にファスナーによって開閉可能な開口部を有し、前記人形を前記人形保持部に保持した状態で、使用者が該開口部から該バッグ内を経由して前記人形の空洞部に手を挿入可能であること
を特徴とする請求項２〜５のいずれか一項に記載の人形付バッグ。
【請求項７】
前記バッグとして外観の異なる複数種類のバッグが用意されていること
を特徴とする請求項１〜６のいずれか一項に記載の人形付バッグ。
【考案の詳細な説明】
【技術分野】
【０００１】
本考案は、少なくとも人形とバッグとからなる人形付バッグに関する。
【背景技術】
【０００２】
買い物用のショッピングバッグに例示されるバッグとして、従来より様々な構成が提案されている。例えば、特許文献１に開示されるバッグは、人形等の装飾品を収納可能な小袋体を備えて構成されている。また、特許文献２に開示されるバッグは、人形等のキャラクターの内部にバッグが収納可能なように構成されている。
【先行技術文献】
【特許文献】
【０００３】
【特許文献１】特開２００９−１０６４９８号公報
【特許文献２】登録実用新案第３１５４３６７号公報
【考案の概要】
【考案が解決しようとする課題】
【０００４】
しかし、特許文献１に例示される構成においては、玄関先等に置いておけば即座に携行が可能となるため便利であるものの、バッグ自体が観賞用、装飾用を目的とするものではないため、収納場所が必要となる、あるいは放置した場合に雑然とした印象を与えるといった課題があった。
【０００５】
一方、特許文献２に例示される構成においては、人形等のキャラクターの内部にバッグを収納することが可能となるため、収納場所が小さくて済むというメリットもある。しかし、当該キャラクターをバッグの外部に取り付けるだけの構成であるため、単にキャラクター形状の収納ケースをバッグと共に携行できるという効果を奏するに止まっていた。
【０００６】
本考案は、上記事情に鑑みてなされたものであり、収納した状態で鑑賞用、装飾用に供することができると共に、携行時に周囲に癒しや安らぎを与えることができる人形付バッグを提供することを目的とする。
【課題を解決するための手段】
【０００７】
本考案は、以下に記載するような解決手段により、前記課題を解決する。
【０００８】
開示の考案は、少なくとも人形とバッグとからなる人形付バッグであって、前記人形は、内部に前記バッグを収納する空洞部を有し、前記バッグは、内部もしくは外部に前記人形を保持する人形保持部を有することを要件とする。
【考案の効果】
【０００９】
本考案によれば、収納した状態で鑑賞用、装飾用に供することができると共に、携行時に周囲に癒しや安らぎを与えることができる。
【図面の簡単な説明】
【００１０】
【図１】本考案の実施形態に係る人形付バッグの例を示す概略図である。
【図２】本考案の実施形態に係る人形付バッグにおける人形の例を示す概略図である。
【図３】本考案の実施形態に係る人形付バッグにおける人形の空洞部にバッグを収納して着座状態とした例を示す概略図である。
【図４】本考案の実施形態に係る人形付バッグにおける人形の空洞部にバッグを収納する際の作用を説明する説明図である。
【図５】本考案の実施形態に係る人形付バッグにおけるバッグの人形保持部の例を示す概略図である。
【図６】本考案の実施形態に係る人形付バッグにおけるバッグに人形を保持した状態の例を示す概略図である。
【図７】本考案の実施形態に係る人形付バッグにおける人形の空洞部に使用者が手を挿入した状態の例を示す概略図である。
【図８】他の実施形態に係る人形付バッグにおけるバッグの例を示す概略図である。
【考案を実施するための形態】
【００１１】
以下、図面を参照して、本考案の実施の形態について詳しく説明する。図１は、本考案の第一の実施形態に係る人形付バッグ１の例を示す概略図である。なお、実施形態を説明するための全図において、同一の機能を有する部材には同一の符号を付し、その繰り返しの説明は省略する場合がある。
【００１２】
図１に示すように、人形付バッグ１は、少なくとも人形１０とバッグ２０とから構成されている。
【００１３】
まず、人形１０について説明する。本実施形態に係る人形１０は、図１に示すように、例えば動物の形をしたぬいぐるみタイプの人形であって、綿や化学繊維等の柔らかい素材を用いて形成されている。当該動物の例としては、犬、猫、猿、羊、ヤギ、豚、馬、牛、鳥等、あらゆる動物が考えられる。また、それらの動物に限定されるものではなく、人、昆虫、その他の生物、ロボット、漫画・アニメ等のキャラクター、擬人化された植物等とすることも考えられる。
【００１４】
ここで、人形１０は、図２の概略図（下部方向から視た斜視図）に示すように、内部にバッグ２０を収納することが可能な空洞部１７を有している。より具体的には、空洞部１７は、人形１０の臀部１１に開口部１７ａが設けられると共に当該臀部１１から胴部１２、腕部１３、および頭部１４へ連通して形成されている。
【００１５】
上記構成によれば、空洞部１７にバッグ２０を丸めてもしくは折り畳んで収納することにより、テーブル等の台Ａ上において上半身１５を起立させた着座状態で人形１０の姿勢を維持することが可能となる（図３参照）。ここで図４の説明図を用いてより詳しい作用について説明する。先ず、図４（ａ）は、人形１０とバッグ２０とが別々に置かれた状態である。このとき、柔らかい素材からなる人形１０は着座状態とすることができない。次いで、図４（ｂ）に示すように、バッグ２０を二つ折り、あるいは三つ折り等のように適当な大きさに折り畳み、さらに図４（ｃ）に示すように、丸めることによって、図４（ｄ）に示すような筒状の形状とする。次いで、図４（ｅ）に示すように、筒状の形状としたバッグ２０を人形１０の空洞部１７に収納する。このようにすることで、図４（ｆ）に示すように、人形１０の上半身１５を起立させた着座状態で姿勢を維持することが可能となる。
【００１６】
その結果、人形１０内にバッグ２０を収納した状態で玄関先等に置いておくことができるために、別途収納しておくスペースを玄関先等に設ける必要がなく、また玄関先等が雑然とした状態となることも防止できる。同時に、人形１０はぬいぐるみタイプであって、それ自体が鑑賞用としても用いることができるため、玄関先等に置いておくことで当該玄関先等を装飾する効果を得ることが可能となる。したがって、常に玄関先等に置いておくことができるため、買い物等に出かける際に、即座に携行が可能となり非常に便利である。
【００１７】
さらに、人形１０は、空洞部１７が臀部１１から胴部１２、腕部１３、および頭部１４へ連通して形成されていることによって、使用者が当該空洞部１７に手を挿入しつつ、腕部１３内および頭部１４内に指を挿入して、操り人形として操作することが可能となる（図７参照）。例えば、腹話術用の人形（いわゆるクチパク人形）として好適に用いることが可能となる。なお、図７中の符号Ｂは、空洞部１７に使用者が手を挿入した状態における腕の部分を示している。
【００１８】
なお、図示を省略するが、変形例として、空洞部１７の開口部１７ａにファスナーを設けて、当該開口部１７ａを開閉可能な構造とすることも考えられる。これによれば、バッグ２０を空洞部１７に収納した際はファスナーを閉めて、内部のバッグ２０が出てこないように、あるいは露出しないようにすることが可能となる。
【００１９】
また、人形１０は、図３等に示すように、外周部に面ファスナー１８が設けられている。この構成により、詳細は後述するが、バッグ２０の内部に保持されることが可能となる。
【００２０】
次に、バッグ２０について説明する。本実施形態に係るバッグ２０は、図５に示すように、買い物用のショッピングバッグに例示されるバッグであって、綿、麻、化学繊維等の柔らかい素材を用いて形成されている。
【００２１】
前述の通り、柔らかい素材からなるバッグ２０は、丸めたり、折り畳んだりできるため、人形１０の開口部１７ａから空洞部１７内へ収納することができ、ちょうどよく人形２０の身体にフィットさせることができる。これによって、人形２０を安定的に据えることができる（いわゆる「お座り」をさせることができる）。
【００２２】
また、バッグ２０は、同図５に示すように、内部２０ａに人形１０を保持する人形保持部２１を有している。本実施形態においては、人形保持部２１としての面ファスナー２１ａをバッグ２０の内部２０ａの上部位置に備えている。
なお、図示を省略するが、変形例として、バッグの外部（例えば、外周部）に袋状の人形保持部を設ける等の構成とすることも考えられる。
【００２３】
上記構成によれば、図６に示すように、バッグ２０の面ファスナー２１ａと、人形１０の面ファスナー１８とを係着させることによって、人形１０の所定の部位をバッグ２０の外部に露出させた状態で、人形１０をバッグ２０の内部に保持することが可能となり、また、その状態で携行することが可能となる。当該係着に用いられる面ファスナー２１ａ、１８は、相互に簡単に取り外し・取り付けを行うことが可能であるため、バッグ２０に対して人形１０を容易に着脱することが可能となる。
【００２４】
一例として、本実施形態のように、人形１０の外周部における胸部１６に面ファスナー１８を設ける構成とすれば、バッグ２０から人形１０が顔（すなわち頭部１４）や手（すなわち腕部１３）等を出した状態を演出することができる。したがって、その状態で本実施形態に係る人形付バッグ１を携行して買い物や歩行をすることによって、周囲の人々に癒しや安らぎを与えることができる。
【００２５】
なお、図示を省略するが、変形例として、前記バッグ２０は、下部もしくは中間部にファスナーによって開閉可能な開口部を設ける構成とすることも考えられる。これによれば、人形１０を人形保持部２１に保持した状態で、使用者が当該開口部からバッグ２０の内部を経由して人形１０の空洞部１７に手を挿入することが可能となる。例えば、本実施形態に係る人形付バッグ１を使って、腹話術のショーを行うといったことも可能となる。
【００２６】
さらに、バッグ２０として外観の異なる複数種類のバッグを用意すれば、携行するバッグを変えても、同じ人形１０を携行することが可能となる。例えば、図８に示すバッグ２０のように、ファッション性の高いポーチにも適用することが可能となる。
【００２７】
以上説明した通り、開示の人形付バッグ１によれば、人形１０内にバッグ２０を収納した状態で玄関先等に置いておくことができるために、別途収納しておくスペースを玄関先等に設ける必要がなく、また玄関先等が雑然とした状態となることも防止できる。同時に、人形１０は、それ自体が鑑賞用としても用いることができるため、玄関先等に置いておくことで当該玄関先等を装飾する効果を得ることが可能となる。
【００２８】
さらに、バッグ２０から人形１０が顔や手を出した状態で本実施形態に係る人形付バッグ１を携行して買い物や歩行をすることによって、周囲の人々に癒しや安らぎを与えることができる。
【００２９】
また、本実施形態に係る人形付バッグ１を用いて、腹話術のショーを行うといったような使い方も可能となっている。
【００３０】
なお、本考案は、以上説明した実施例に限定されることなく、本考案を逸脱しない範囲において種々変更可能であることは言うまでもない。
【符号の説明】
【００３１】
１  人形付バッグ
１０  人形
１７  空洞部
１８  面ファスナー
２０  バッグ
２１  人形保持部
２１ａ  面ファスナー
【図１】
0003174675.tif 000003
【図２】
0003174675.tif 000004
【図３】
0003174675.tif 000005
【図４】
0003174675.tif 000006
【図５】
0003174675.tif 000007
【図６】
0003174675.tif 000008
【図７】
0003174675.tif 000009
【図８】
0003174675.tif 000010